(57)【要約】【課題】機構が簡便で装着および離脱が簡便で除洗が容易であり、確実な防水および装着時の不用意な離脱が無い、汚染水域潜水用の潜水用ドライスーツにおける手首部および首部着脱機構を提供する。【解決手段】汚染水域用潜水服の手袋の着脱装置において、手袋に防水接続されたリング部材と、潜水服本体の腕部に防水接続されたリング部材とを有し、そのどちらかの外周部にＯ−リングとバヨネット爪を配し、もう一方のリング部材の外周に回転可能に配されたバヨネット爪を持つ固定用リング部材を有し、Ｏ−リングが接触しシールする内径部をかん合部として有するバヨネット締結式の防水着脱機構を持ち、かん合部の口元をＲ形状とし、そのＲの大きさをＯ−リングの線径の１〜２倍の範囲とし、かん合部の最大クリアランス量をＯ−リングの線径の１５％以下とする。【選択図】図１
2014035003.tif 000002
【特許請求の範囲】
【請求項１】
人体に有害な物質が浮遊または混入している水域に潜水するための汚染水域用潜水服の手袋の着脱装置において、手袋に防水接続されたリング部材と、潜水服本体の腕部に防水接続されたリング部材とを有し、そのどちらかの外周部にＯ−リングとバヨネット爪を配し、もう一方のリング部材の外周に回転可能に配されたバヨネット爪を持つ固定用リング部材を有し、Ｏ−リングが接触しシールする内径部をかん合部として有するバヨネット締結式の防水着脱機構を持ち、かん合部の口元をＲ形状とし、そのＲの大きさをＯ−リングの線径の１〜２倍の範囲とし、かん合部の最大クリアランス量をＯ−リングの線径の１５％以下とすることを特徴とする汚染水域用潜水服の手袋の着脱装置。
【請求項２】
固定用リング部材のバヨネット爪と同じ内径と接するように、円筒方向にバヨネット爪の径方向幅と同様もしくはそれより大きい直径でバヨネット爪のない部分のバヨネット爪終端付近に設けられた穴形状部と、それに挿入され軸方向に動作可能なロック用軸状部材と、その部材に連通して固定用リング外径部に設けられたロック解除用レバーと、これらのロック用の可動部材を押し下げ動作した際に、所定の位置に戻すためのバネ部材とで構成されているバヨネットのロック機構を持つことを特徴とする請求項１に記載の汚染水域用潜水服の手首部着脱機構。
【請求項３】
人体に有害な物質が浮遊または混入している水域に潜水するための汚染水域用潜水服の頭部フードの着脱装置において、潜水服本体に防水接続されたリング部材と、頭部フードに防水接続されたリング部材とを有し、そのどちらかの外周部にＯ−リングとバヨネット爪を配し、もう一方のリング部材の外周に回転可能に配されたバヨネット爪を持つ固定用リング部材を有し、Ｏ−リングが接触しシールする内径部をかん合部として有するバヨネット締結式の防水着脱機構を持ち、かん合部の口元をＲ形状とし、そのＲの大きさをＯ−リングの線径の１〜２倍の範囲とし、かん合部の最大クリアランス量をＯ−リングの線径の１５％以下とすることを特徴とする汚染水域用潜水服の首部着脱装置。
【請求項４】
固定用リング部材のバヨネット爪と同じ内径と接するように、円筒方向にバヨネット爪の径方向幅と同様もしくはそれより大きい直径でバヨネット爪のない部分のバヨネット爪終端付近に設けられた穴形状部と、それに挿入され軸方向に動作可能なロック用軸状部材と、その部材に連通して固定用リング外径部に設けられたロック解除用レバーと、これらのロック用の可動部材を押し下げ動作した際に、所定の位置に戻すためのバネ部材とで構成されているバヨネットのロック機構を持つことを特徴とする請求項３に記載の汚染水域用潜水服の首部着脱機構。
【発明の詳細な説明】
【技術分野】
【０００１】
本発明は、汚染水域における潜水作業において着用する潜水用ドライスーツにおける、手袋部とスーツ腕部および頭部とスーツ本体との接続に用いる防水着脱機構に関する。
【背景技術】
【０００２】
現在実用化されている潜水服用の手袋部とスーツ腕部の接続は、樹脂製のバヨネット締結およびＯ−リングによるシールを応用したものが使用されている。また、頭部は硬質部材によるヘルメットおよびそれに接続された軟質部材による中央部に穴を開けた形状のシール部材を、潜水用ドライスーツの首部シールの上から被せて防水を確保している。
【０００３】
しかしながら、汚染水域潜水においては首部シールからの漏水が起きる場合があること、各種化学物質に対する耐久性が必要であることなど、汚染水域のレベルや汚染物質によっては使用できない場合が多い物であったため、より完全な防水性が確保され、さらに各種化学物質等に対する耐久性がある物の開発が求められている。
【０００４】
また、現在実用化されているより完全な汚染水域用潜水服は、スーツ全体を硬質シェル化するなど装置が大掛かりであり、その運用や維持にも膨大な費用がかかるなどの問題もあり、より簡便で安全性の高い汚水域用潜水服の開発が広く望まれている。なお、汚染水域には放射性物質が流出した水域、重油や燃料が流出した水域、また、化学薬品類や毒ガス等の存在が確認あるいは存在の可能性がある水域等である。
【０００５】
さらに、潜水中の防水性や耐薬品性のほかに、潜水後の陸上あるいは船上における除洗の簡便性が求められている。複雑な機構の使用は、除洗に手間がかかり好ましくない。
【０００６】
一方、気密性を持ったスーツの手首部着脱機構として、ロック爪によるロック式の物が考案されている（特許文献１参照）。しかしながら、このようなカム機構は汚染物質がカム機構部に滞留する可能性があるなど好ましくない。さらにシールを確実にするために嵌め合い代を確保する必要があり、着脱時に斜め方向から挿入や引き抜きが出来なく着脱性が良くない。
【０００７】
また、管継手におけるバヨネットを応用した物も考案されている(特許文献２参照)。しかしながら、シール部材をバヨネット締結により圧縮する場合は、バヨネット爪部のしゅう動部に砂塵や汚泥が噛み込み、回転が阻害されることがあり、実用的でない。
【先行技術文献】
【特許文献】
【０００８】
【特許文献１】特開２０１０−２０８６１７号公報（第１頁）
【特許文献２】実開昭６０−２８６８６号公報（第１頁）
【発明の概要】
【発明が解決しようとする課題】
【０００９】
機構が簡単で装着および離脱が簡便で除洗が容易であり、確実な防水および装着時の不用意な離脱が無い、汚染水域潜水用の潜水用ドライスーツ（以下スーツという）における手首部および首部着脱機構が求められている。
【課題を解決するための手段】
【００１０】
本発明は、上記課題を解決するために次の構成を備える。
本発明に係る汚染水域用潜水服の手首部および首部着脱装置の一形態によれば、スーツ側に固定されるリング形状部材と手袋または頭部フードに固定されるリング形状部材を有し、そのどちらかにＯ−リング等のシール部材を配置し、そのシール部材を介してかん合させることで防水性を確保している。
【００１１】
また、本発明に係る汚染水域用潜水服の手首部および首部着脱装置の一形態によれば、スーツ側に固定されたリング状部材と手袋または頭部フードに固定されるリング状部材をかん合させた後に、それらが外れないようにするために、たとえば手袋または頭部フードに固定されるリングの外周部にバヨネット爪を配し、それらの外周にさらにバヨネット爪を内径部に形成されたリング状部材を有し、そのリング部材をスーツ側に固定されているリング部材外周に対して抜けないように配し、それを回転させてバヨネット爪をかん合させることでスーツ側と手袋または頭部フードが容易に外れないようにした事を特徴とすることができる。
【００１２】
また、本発明に係る汚染水域用潜水服の手首部および首部着脱装置の一形態によれば、内径部にバヨネット爪を形成されたリング状部材が潜水中等に不用意に回転しないようにするために、回転方向のロック機構を備える事を特徴とすることが出来る。
【００１３】
また、本発明に係る汚染水域用潜水服の手首部および首部着脱装置の一形態によれば、スーツ側に固定されたリング状部材と手袋または頭部フードに固定されたリング状部材のはめ合いにおいて、その円周の片側を先にはめ込んだ場合でも、引っかかることなく確実に全体が均一にかん合し、なおかつその円周の片側からこじるように離脱した場合でも容易に離脱することが出来るように、スーツ側および手袋または頭部フード側のリング先端部形状が特別な形状を為していることを特徴とすることが出来る。
【００１４】
また、本発明に係る汚染水域用潜水服の手首部および首部着脱装置の一形態によれば、スーツ側に固定されるリング状部材とスーツとの接合部において、その接触部のリング状部材表面に、円筒方向に凹凸を配した面とステンレス材等の高耐食性素材で形成されたバンド部材とでスーツの端部を挟み込むように固定することで、引っ張り等の外力に対しての耐久性および安定性を確保していることを特徴とすることが出来る。
【発明の効果】
【００１５】
本発明に係る汚染水域用潜水服の手首部および首部着脱装置の一形態によれば、機構が簡単で、装着および離脱が簡便で除洗が容易であり、確実な防水および装着時の不用意な離脱が無いという特別有利な効果を奏する。
【図面の簡単な説明】
【００１６】
【図１】本発明に係る汚染水域用潜水服の手首部の着脱装置の形態例を示す縦断面図である。
【図２】図１の形態例のロック機構を示す縦断面図である。
【図３】図１の形態例の正面図である。
【図４】図１の形態例の着脱時の説明図である。
【図５】本発明に係る汚染水域用潜水服の首部の着脱装置の形態例を示す投影図である。
【図６】本発明に係る汚染水域用潜水服の全体図である。
【発明を実施するための形態】
【００１７】
手首部の着脱装置と首部の着脱装置は、その内外径が異なるが構造およびそのシール方法やロック方法は同一であるため、手首部の着脱装置について説明する。汚染水域用潜水服における確実な防水性を確保する手段として、Ｏ−リングによる径方向でのシールを使用する。この方式によれば、Ｏ−リングを円筒面外径部に形成した溝へ装填したオス側リング部材を、その円筒面外径に対し適正な嵌め合い公差に管理された内径を持つもう一方のメス側リング部材へ挿入することで、Ｏ−リングの全周にわたる均一な圧縮が得られ、シール機能が安定する。
【００１８】
一方、このためには一定長の円筒面をオス側およびメス側のリング部材双方に形成し嵌め合いとする必要があり、オス側リング部材とメス側リング部材の着脱時には、その円筒軸方向に同芯かつ平行に双方を配置してかん合させるという必要があり、どちらかが斜めになった場合は噛み込んでしまうなどの問題がある。
【００１９】
これを回避し着脱を容易とするために、オス側リング部材のＯ−リング溝前後の長さおよびメス側リング部材の内径部入り口の形状を一定の条件の範囲に入るように最適化することで、片側を先に入れてからでも容易に全体が完全に入り確実にＯ−リングによる防水を可能とした。
【００２０】
手首側リング部材とスーツ側リング部材の固定には、例えばスーツ側リング部材の外周にバヨネット爪を複数設け、これに対応するように、内径部にバヨネット爪を設けた固定用リング部材を回転可能に手首側リング部材へ装着し、手首側リング部材とスーツ側リング部材をかん合させた後にこの固定用リング部材を回転させ、バヨネット爪をかみ合わせることで固定できる。
【００２１】
しかしながら、この状態では固定用リング部材は自由に回転するため潜水中に回転してしまい、バヨネット爪同士の噛みあわせが解除されてしまう可能性がある。このような事象を防止するために、固定用リング部材には回転防止機構が形成されている。
【００２２】
この回転防止機構は、固定用リング部材のバヨネット爪と同じ内径と接するように、円筒方向にバヨネット爪の径方向幅と同様もしくはそれより大きい直径でバヨネット爪のない部分のバヨネット爪終端付近に設けられた穴形状部と、それに挿入され軸方向に動作可能なロック用軸状部材と、その部材に連通して固定用リング外径部に設けられたロック解除用レバーと、これらのロック用の可動部材を押し下げ動作した際に、所定の位置に戻すためのバネ部材とで構成されている。
【００２３】
この機構によれば、手袋装着時にはスーツ側リング部材のバヨネット爪が該ロック用軸状部材を押し込むため、ロックがかかることなくロック用リング部材を回転することが出来る。そして、所定の回転角を回転させた後、該ロック用軸状部材は押されていたバヨネット爪から離脱し、該バネ部材により所定の位置に戻されロックが機能するようになる。
【００２４】
また、手袋離脱時には該ロック解除用レバーを押し下げ、該ロック用軸状部材をスーツ側リング部材のバヨネット爪との干渉を回避させることで、ロック用リング部材を回しバヨネットを離脱させることが出来る。
【実施例１】
【００２５】
以下、本発明に係る汚染水域用潜水服の手首部着脱装置の実施例を、添付図面に基づいて詳細に説明する。なお、図５に示す首部着脱装置は、その機構および動作について手首部着脱装置と同様であり、内外径が異なるのみであるため、詳細な図面およびそれによる説明は省略する。
【００２６】
汚染水域用潜水服の全体構成は、図６に示すように３３スーツ本体に３２首部着脱装置を介して３１頭部フードが固定される。この頭部フードには、呼吸用レギュレーターや視界確保用のガラス窓部などが形成されている。また、３３スーツ本体には３４手首部着脱装置を介して３５手袋が装着されている。これらのスーツ、頭部フード、手袋はすべて完全な防水素材で形成されており、外部の水等が着用者の皮膚に触れることがあってはならない。
【００２７】
図１の２手袋側リング部材と１手袋は３固定バンドで締め付けられ、防水を確保している。また同様に７スーツ側リング部材と９スーツ腕部は８固定バンドで締め付けられ、防水を確保している。
【００２８】
４固定用リング部材は２手袋側リング部材の端部に、６抜け止め用ネジにて４固定用リング部材に対し回転可能に配される。７スーツ側リング部材には５Ｏ−リングが適選なＯ−リング溝に装填されている。この状態で７スーツ側リング部材と２手袋側リング部材をかん合させれば、５Ｏ−リングによって防水が確保される構造となっている。
【００２９】
図３の７スーツ側リング部材の７ａバヨネット爪と４固定リング部材の４ａバヨネット爪は、４固定リングの回転位置によってかみ合うように形成されており、２手袋側リング部材と７スーツ側リング部材をかん合させた後、４固定用リング部材を回転させることでバヨネット爪をかみ合わせ、かん合が外れないようにする。
【００３０】
また、このかん合をさせる際には、図３の７ａバヨネット爪によって１０ロック用軸状部材を押しつけているため、この状態で４固定用リング部材を回転させ図３に示した状態位置まで回転させれば１０ロック用軸状部材は図２の１３バネ部材により初期の位置まで押し戻される。一方１５位置決めネジが軸方向位置として７ａバヨネット爪と同じであるため、この状態では４固定用リング部材の回転は１０ロック用軸状部材と１５位置決め用ネジにより７ａバヨネット爪との間で制限され、不用意に回ってしまうことがない。
【００３１】
一方、手袋をスーツから離脱させるときは、図２の１１ロック解除用レバーを図の左方向へ押し下げることで、バヨネット爪との干渉がなくなり４固定用リング部材が回転できるようになるため、これを回転しバヨネット爪のかみ合いを離脱させて７スーツ側リング部材から２手袋側リング部材を分離することができる。
【００３２】
２手袋側リング部材と７スーツ側リング部材をかん合させる際には、図４に示すように７スーツ側リング部材の片側を先に押し込み、その後支点Ｂを基準として角度θだけ支点Ｂの反対側を押し付けると、はめ合い代を合わせてから軸方向へまっすぐと押し込むなど、通常のはめ合い部のかん合のような動作をしなくても良い。
【００３３】
一方、５Ｏ−リングはかん合時には２手袋側リング部材に設けられたＲ部にかかっていることは使用上好ましくないため、図４のＡ寸において、寸法右端からＯ−リングが入る溝までの距離、すなわち支点Ｂまでの距離はＡ−Ｒであることが必要である。また、Ａ寸法の左端位置がφＤ寸法部に接触するとはめ込むことが出来ないため、同点の支点Ｂとの最長距離はφＤ以下である必要がある。
【００３４】
この時、φｄとφＤの差がクリアランス量Δｄとすると、Δｄ＞（Ａ−Ｒ）tanθという関係がある。一方、Ａ寸法は（Ａ−Ｒ）＝φｄtanθであるので、これら双方を満足するような各値を選択することで、所定の動作を満足する寸法を達成できる。なお、Ａ−Ｒの値は小さいほど良いが、Ｏ−リング溝に幅に依存するため使用するＯ−リングの線径でほぼ一意的に決定される。さらに、ΔｄもＯ−リングを使用したシール構造であるために、最適な値の範囲は限定される。
【００３５】
実施例では、５Ｏ−リング線径がφ２．６２ｍｍ、φｄが１０４ｍｍのとき、Ａ寸法が７．４ｍｍ、Ｒが３．５ｍｍで引っかかりなく着脱でき、確実なシールが達成されている。この時のΔｄは０．１７ｍｍでθは２．５°である。
【００３６】
なお、Ｒの値は、かん合時の操作性からＯ−リングの線径に対して１〜２倍の間が好適である。また、Δｄの値は潜水用である場合Ｏ−リングの線径の１５％以下であることがシール特性の安定のためには望ましい。なお、φｄ部の外径を、Ａ寸法部左端部のみ小径とする場合も、この時のΔｄについて同様の範囲が好ましい。
【００３７】
以上の構成により、機構が簡単で、装着および離脱が簡便で除洗が容易であり、確実な防水および装着時の不用意な離脱が無い、汚染水域用潜水服の手首部および首部着脱機構を実現できるものである。
【００３８】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３９】
１    手袋
２    手袋側リング部材
３    固定バンド
３ａ  固定バンド締め付け機構部
４    固定用リング部材
４ａ  バヨネット爪
５    Ｏ−リング
６    抜け止め用ネジ
７    スーツ側リング部材
７ａ  バヨネット爪
８    固定バンド
９    スーツ腕部
１０  ロック用軸状部材
１１  ロック解除用レバー
１２  ネジ
１３  バネ部材
１４  押さえ板
１５  位置決め用ネジ
２１  頭部フード側リング部材
２２  固定用リング部材
２３  ロック解除用レバー
２４  固定バンド
２５  スーツ側リング部材
３１  頭部フード
３２  首部着脱装置
３３  スーツ本体
３４  手首部着脱装置
３５  手袋
【図１】
2014035003.tif 000003
【図２】
2014035003.tif 000004
【図３】
2014035003.tif 000005
【図４】
2014035003.tif 000006
【図５】
2014035003.tif 000007
【図６】
2014035003.tif 000008